(57)【要約】【課題】ペットボトル等のネジ口に、ハス口を付けて吐水のためにネジ口を下に向けると容器内の水が急に下降して水封が起こり、吐水に見合う給気がないと容器内が負圧となり吐水量が制限される。又、ハス口の内部は水垢や塵埃が付着や蓄積して吐水効率が悪くなることがある。【解決手段】容器内の負圧に見合う給気を行うための独立した給気経路を設ける。容器内の水が急に下降して水封が起こりハス口から見合う給気がないと、容器内が負圧となって吐水が制限されるが、負圧は内容液全表面に等圧に働くことから、その吸引力を利用して、給気管から給気を行ない解除する。また、ハス口の吐水板はハス口の側面外殻に設けた吐水板ガイドに咬み合わせてスライドさせて着脱出来ることから、取り外してハス口内部の水垢や塵埃の掃除を行い、さらに吐水板を取換えて異なる吐水を得ることが出来る。【選択図】図１
2019099269.tif 000002
【特許請求の範囲】
【請求項１】
ハス口の一部にハス口の内包とは干渉しない独立した給気孔を設けて、その給気孔に、給気管内へ水の流入を防ぐための、逆流防止装置を先端部に設けた給気管を接続して、ネジ口から密閉容器内に突出させることにより、容器内が負圧となったときに、内容液の全表面に均等の圧力が発生する原理による吸引力によって、逆流防止装置の開閉弁が開き容器内部に給気されることから負圧を解除するように構成されたハス口。
【請求項２】
ハス口の吐水板は、ハス口の側面外殻に設けた吐水板ガイドに、密着して咬み合うガイド掴みを介して、スライドさせることにより着脱出来ることから、取り外してハス口内部の水垢や塵埃の掃除を行えて、更に吐水板を取り換えれば異なる吐水を得ることが出来るように構成されたハス口。
【発明の詳細な説明】
【技術分野】
【０００１】本発明は、ペットボトルやガラス瓶等の密閉容器のキャップ用ネジ口部分に取り付けて吐水を行うハス口に関する。
【背景技術】
【０００２】ペットボトルのキャップ用ネジ口部分（以降省略してネジ口と称する）にネジ付けて、ペットボトルを握り圧縮することによる変形を利用してハス口から吐水を行い、圧縮されて変形した形状が弾性により原型に復帰しようとする作動を利用して、負圧となっている容器内部にハス口から給気して整圧とし、これを繰り返して吐水を行うハス口は見られる。
ガラス瓶にあっては、握り圧縮することによる変形は不可能であるために容器の変形を利用するハス口は見られない。
【発明の概要】
【発明が解決しようとする課題】
【０００３】ペットボトルを、握り圧縮することによる変形を利用して吐水や給気を行うの
2019099269.tif 000003
ものは容量に対応して丈夫であり、また容器の径が大きいために、握り圧縮するのは困難である。  ゆえに吐水のためにネジ口を下に向けると容器内の水が急に下降して水封が起こり、ハス口からの吐水量に見合う給気がないと容器内が負圧となることから著しく吐水量が制限される。
ハス口の内部は水垢や塵埃が付着や蓄積して吐水効率が悪くなることがある。
又、ハス口がネジ部分と一体成型である場合に、容器のネジ止まりによって吐水面が決まることから、取っ手付き容器では、吐水面が取っ手に相対する方向にならないことがある。
【課題を解決するための手段】
【０００４】吐水のためにネジ口を下に向けると容器内の水が急に下降して水封が起こり、ハス口からの吐水量に見合う給気がないと、密閉容器内が負圧となり著しく吐水量が制限されることから、密閉容器内の負圧に見合う給気を行うための独立した経路を設ける。ハス口の一部にハス口の内包とは干渉しない独立した給気孔を設けて、その給気孔に、給気管内へ水の流入を防ぐための、逆流防止装置を先端部に設けた給気管を接続して、ネジ口から密閉容器内に突出させることにより、容器内が負圧となったときに、内容液の全表面に均等の圧力が発生する原理による吸引力によって、逆流防止装置の開閉弁が開き容器内部に給気されることから負圧を解除する。
ハス口の吐水板は、ハス口の側面外殻に設けた吐水板ガイドに、密着して咬み合うガイド掴みを介して、スライドさせることにより着脱出来ることから、取り外してハス口内部の水垢や塵埃の掃除を行えて、更に吐水板を取り換えれば異なる吐水を得ることが出来る。
ハス口はハス口の内部から突き出したＡソケットの丸座と、Ａソケットの外殻に設けたネジ山にネジ込んだＢソケットの端部にて挟み付けて支持していることから容器のネジ止り方向に係らず、ハス口を任意の方向に回転して吐水することが出来る。
【発明の効果】
【０００５】本発明のハス口は、容器を圧縮してその変形により吐水することが困難なペットボトルや、容器の変形を利用して吐水することが出来ないガラス瓶のネジ口にネジ付けて吐水を行うもので、容器内の水が急に下降して水封が起こりハス口からの吐水量に見合う給気がないと、著しく吐水が制限されるが、容器内が負圧となって容器内の水の全周面に均等な吸引力が働くことを利用して給気管から給気を行うことにより負圧を解除して吐水する。
またハス口の吐水板はハス口の側面外殻に設けた吐水板ガイドに咬み合わせてスライドさせることにより着脱出来ることから、取り外してハス口内部の水垢や塵埃の掃除を行えて、さらに吐水板を取換えれば異なる吐水を得ることが出来る。
【発明を実施するための形態】
【０００６】本発明に係るハス口の実施の一例を図面に基づいて説明する。
図１は本実施例の横断面図を示す。ハス口１の一部分に独立して設けた給気孔２から連続する給気管３を設けて、その給気管３をネジ口６ら密閉容器１３の内部へ突出する。給気管３の突出端部には給気管３の内部に水が流入するのを防止するための逆流防止装置４を設ける。吐水をするためにネジ口を下に向けると容器内の水が急に下降して水封が起こり、ハス口１からの吐水量に見合う給気がないと、容器内が負圧となり著しく吐水が制限されるが、負圧となったときに内容液の全表面に均等の圧力が発生する原理による吸引力によって、逆流防止装置４の開閉弁５が開き容器内部に給気されることから負圧を解除する。
【０００７】給気管３は、ハス口の内包とは干渉しない独立した密閉経路にて設けることから、その位置はハス口の吐水板方向や側面でもよい。給気管３は樹脂管やガラス管等を用い、給気孔２から逆流防止装置４までを閉鎖断面とし、逆流防止装置４は開閉弁５を有する。
【０００８】逆流防止装置５は給気管３の内部に水が流入して水栓となり、負圧からの吸引力では給気に至らないのを防止するために設けることから、開閉弁５は常時閉鎖を保ち、給気管３から容器内へ空気を吸引して給気をする際には弁が開く機能を有すればよく、図１に本発明に係る例として示す逆流防止装置４の開閉弁５は後端を定着した弁状をなして、給気により先端から開き給気が無いときは弾性により閉まる復元力を保持する。
【０００９】ハス口の吐水板７は、図４に示すハス口１の側面外殻８に設けられた吐水板ガイド９にガイド掴みによって咬み合わせ、突起１０を手掛かりにして、スライドさせて着脱出来ることから、取り外してハス口内部の水垢や塵埃の掃除を行えて、ことから、取り外してハス口内部の水垢や塵埃の掃除を行えて、さらに吐水板５を取換れば異なる吐水を得ることが出来る。
【００１０】吐水板７は金属板や樹脂板を用いて、ハス口１の側面外殻６に設けられた吐水板ガイド９に咬み合う機能を持つ。
【００１１】ハス口１はハス口１の内部から突き出したＡソケット１１の丸座と、Ａソケット１１の外殻に設けたネジ山へネジ込んだＢソケット１２の端部にて、挟み付けて支持していることから容器のネジ止り方向に係らず、ハス口１を任意の方向に回転して吐水することが出来る。
【００１２】Ａソケット１１の内側にはネジ口径略３０ｍｍの小型密閉容器１４を取り付けるネジ山を有し、Ｂソケット１２の内側にはネジ口径略３８ｍｍの大型密閉容器１５を取り付けるネジ山を有するが、これら以外の口径の容器はＢソケット１２にアタッチメントを取り付ける。
【００１３】本発明において水と称するのは、水、消毒液、肥料溶液等水溶液全般を言う。
【産業上の利用分野】
【００１４】本発明のハス口は、密閉容器の内部圧力に係らずに吐水を行うことに関する。
【図面の簡単な説明】
【図１】同実施例の横断面図
【図２】同実施例の横面姿図
【図３】同実施例の上面姿図
【図４】同実施例の縦断面図（後方部）
【図５】同実施例の縦断面図（中間部）
【図６】同実施例の縦断面図（前方部）
【符号の説明】  １…ハス口                    ９…吐水板ガイド
２…給気孔                  １０…突起
３…給気管                  １１…Ａソケット
４…逆流防止装置            １２…Ｂソケット
５…開閉弁                  １３…密閉容器
６…ネジ口                  １４…小型容器
７…吐水板                  １５…大型容器
８…ハス口外殻
【図１】
2019099269.tif 000004
【図２】
2019099269.tif 000005
【図３】
2019099269.tif 000006
【図４】
2019099269.tif 000007
【図５】
2019099269.tif 000008
【図６】
2019099269.tif 000009